(57)【要約】【課題】  ユニットを運搬する際、その都度ユニットカバーを取り外すことなく、作業が可能な利便性に優れたユニットカバーの提供。【解決手段】  プレハブ住宅ユニット２を覆うカバー本体３に、プレハブ住宅ユニットをカバー本体で覆ったままプレハブ住宅ユニットに着脱可能に吊り金具を取り付ける取付用開口部４が設けられたことを特徴とするプレハブ住宅ユニットのユニットカバー１。本発明のプレハブ住宅ユニットのユニットカバーにおいて、前記取付用開口部に開閉可能な蓋５が設けられた構成とするのが好ましい。【選択図】  図１
2005256534.tif 000002
【特許請求の範囲】
【請求項１】
プレハブ住宅ユニットを覆うカバー本体に、プレハブ住宅ユニットをカバー本体で覆ったままプレハブ住宅ユニットに着脱可能に吊り金具を取り付ける取付用開口部が設けられたことを特徴とするプレハブ住宅ユニットのユニットカバー。
【請求項２】
前記取付用開口部に開閉可能な蓋が設けられた請求項１に記載のプレハブ住宅ユニットのユニットカバー。
【請求項３】
カバー本体に筒状部が設けられ、該筒状部の上面に取付用開口部が設けられた請求項１又は２に記載のプレハブ住宅ユニットのユニットカバー。
【発明の詳細な説明】
【技術分野】
【０００１】
本発明は、プレハブ住宅ユニットを覆って水や汚れがプレハブ住宅ユニットに侵入するのを防ぐユニットカバーに関する。
【背景技術】
【０００２】
従来、プレハブ住宅ユニットのユニットカバーとしては、帆布、ポリエチレンなどからなり、プレハブユニットを覆うための開口部を有する略方形体のカバー本体の頂部に、下部硬質基材と上部軟質基材とからなり、流体導入口を設け、空気などの流体の導入により起立可能な複数のつか部が下部基材に固着されており、上部基材が略円弧状にふくらんだ屋根として形成できる袋部を備えていることを特徴とする、プレハブ住宅などユニットのカバーが提案されている。このユニットカバーは、プレハブ住宅ユニットの上端四隅に吊り金などの突起部を設けてあり、これらの突起部にワイヤをかけクレーンで吊り下げて所定位置に設置するようになっている。また、このユニットカバーには、前記突起部を覆っている対応部が設けられている。
【特許文献１】実公平７−２８３１８号公報
【発明の開示】
【発明が解決しようとする課題】
【０００３】
前記特許文献１に記載された従来のユニットカバーにおいて、吊り金等の突起部を覆っている対応部は、吊り金等の着脱を行うための開口が無いため、ユニットをクレーンで吊り下げる度に、吊り金等をプレハブ住宅ユニットに取り付けるためにユニットカバーを取り外さなければならず、手間がかかっていた。
【０００４】
本発明は前記事情に鑑みてなされ、ユニットを運搬する際、その都度ユニットカバーを取り外すことなく、作業が可能な利便性に優れたユニットカバーの提供を目的とする。
【課題を解決するための手段】
【０００５】
前記目的を達成するため、本発明は、プレハブ住宅ユニットを覆うカバー本体に、プレハブ住宅ユニットをカバー本体で覆ったままプレハブ住宅ユニットに着脱可能に吊り金具を取り付ける取付用開口部が設けられたことを特徴とするプレハブ住宅ユニットのユニットカバーを提供する。
本発明のプレハブ住宅ユニットのユニットカバーにおいて、前記取付用開口部に開閉可能な蓋が設けられた構成とするのが好ましい。
本発明のプレハブ住宅ユニットのユニットカバーにおいて、カバー本体に筒状部が設けられ、該筒状部の上面に取付用開口部が設けられた構成としてもよい。
【発明の効果】
【０００６】
本発明は、ユニットカバーのカバー本体に、プレハブ住宅ユニットをカバー本体で覆ったままプレハブ住宅ユニットに着脱可能に吊り金具を取り付ける取付用開口部を設けた構成としたので、プレハブ住宅ユニットをカバー本体で覆ったまま、取付用開口部から吊り金具をプレハブ住宅ユニットに取り付けてクレーンで吊り下げることができ、作業性を向上することができる。
また、取付用開口部に開閉可能な蓋を設けた構成としたことで、保管又は待機時には取付用開口部をこの蓋で塞いでユニット内への浸水を防止できる。
【発明を実施するための最良の形態】
【０００７】
以下、図面を参照して本発明の実施形態を説明する。
図１及び図２は、本発明に係るプレハブ住宅ユニットのユニットカバーの第１実施形態を示す図であり、図１はユニットカバー１をプレハブ住宅ユニット２に被せる状態を示す斜視図、図２はプレハブ住宅ユニット２をユニットカバー１で覆ったままクレーンで吊り下げた状態を示す斜視図である。これらの図中、符号１はユニットカバー、２はプレハブ住宅ユニット、３はカバー本体、４は取付用開口部、５は蓋、６は取付穴、７はワイヤ、８は吊り金具である。
【０００８】
このユニットカバー１は、直方体形状をなしているプレハブ住宅ユニット２に被せてプレハブ住宅ユニット２の天井部及び４つの側壁部を覆うことができるように、底部が開口した方形の袋状をなすカバー本体３と、該カバー本体３の天井部四隅にそれぞれ設けられた取付用開口部４と、これらの取付用開口部４を開閉可能に塞ぐ蓋５とを備えて構成されている。
【０００９】
前記カバー本体３は、防水性を有するシート状材料で作られ、そのシート状材料としては、帆布、不織布、塩化ビニル系樹脂シート、エチレン酢酸ビニル系樹脂シート、ポリエチレン系樹脂シート、ポリプロピレン系樹脂シート、ポリエステル系樹脂シート、ポリエチレンテレフタレート系樹脂シート、ナイロン系樹脂シート、ポリスチレン系樹脂発泡シート、ゴム系樹脂シートなどが挙げられる。このカバー本体３の厚さは、カバー本体３をプレハブ住宅ユニット２に被せて水や汚れの侵入を防ぎ得るために十分なシート厚さに設定され、特に限定されない。
【００１０】
前記プレハブ住宅ユニット２は、鉄骨、外壁、石膏ボード、コンクリートパネル、アルミサッシなどの建具などの建築材料を、工場等で予め組み立てて、一部屋（一ユニット）などの単位で作製され、建設現場に搬送されるようになっている。このプレハブ住宅ユニット２の形状、寸法等は特に限定されない。図１に示すプレハブ住宅ユニット２では、その上端の四隅に、吊り金具８を螺着するネジ穴（取付穴６）が設けられている。ユニットカバー１の取付用開口部４は、ユニットカバー１をプレハブ住宅ユニット２に被せた状態で、それぞれプレハブ住宅ユニット２の取付穴６に対応する位置に設けられている。
【００１１】
図３は、このプレハブ住宅ユニット２の取付穴６に着脱可能に取り付けられる吊り金具８の一例を示す正面図である。この吊り金具８は、いわゆるアイボルトと呼ばれる金具であり、ワイヤ７を通すリング状部分と、プレハブ住宅ユニット２の取付穴６に螺着するネジ部９とを備えて構成されている。この吊り金具８は、プレハブ住宅ユニット２の四隅の取付穴６にそれぞれ螺着、締結し、これらにワイヤ７を通してクレーンで吊り下げる際に、プレハブ住宅ユニット２の重量を十分に支えることができるような機械強度を有するものが用いられる。
【００１２】
図４は、このユニットカバー１において、取付用開口部４を開閉可能に塞ぐ蓋５の一例を示す斜視図である。この蓋５は、取付用開口部４に設けられた円筒部分を有する合成樹脂製の蓋台座１０と、蓋台座１０に嵌合される合成樹脂製の蓋５とからなっている。この蓋５は、蓋台座１０に嵌合することによって取付用開口部４を塞ぎ、蓋５が蓋台座１０に嵌合された状態の時、つまみ部を持って持ち上げることによって蓋台座１０から外し、取付用開口部４を開くことができるようになっている。蓋台座１０と蓋５とは、バンドなどによって連結しておくことが好ましい。
【００１３】
なお、前記蓋５の開閉機構は、図４の例示に限定されることなく、例えば、蓋台座１０の外周にネジ部を形成し、蓋５の内面にそれと螺合するネジ部を形成し、蓋台座１０に蓋５を螺着することによって取付用開口部４を閉じ、一方、蓋５が装着された蓋台座１０の蓋５を開栓方向に回して蓋５を取り外すスクリューキャップ方式の開閉機構を設けることもできる。
【００１４】
このユニットカバー１は、図１に示すように、プレハブ住宅ユニット２に被せ、ベルト、ホック、ロープなどの従来公知の適当な固定用具でプレハブ住宅ユニット２に取り付ける。そして、プレハブ住宅ユニット２を工場から出荷するなどの搬送時には、ユニットカバー１を外すことなく、取付用開口部４を開き、取付穴６に図３に示す吊り金具８のネジ部９を螺着し、そのリング状部分にワイヤ７を通し、図２に示すようにクレーンで吊り、トラックの荷台等に載せる。その後、吊り金具８を取り外し方向に回して取付穴６から外し、取付用開口部４を蓋５で閉じ、プレハブ住宅ユニット２を搬送する。
【００１５】
このユニットカバー１は、カバー本体３に、プレハブ住宅ユニット２をカバー本体３で覆ったままプレハブ住宅ユニット２に着脱可能に吊り金具８を取り付ける取付用開口部４を設けた構成としたので、プレハブ住宅ユニット２をカバー本体３で覆ったまま、取付用開口部４から吊り金具８をプレハブ住宅ユニット２に取り付けてクレーンで吊り下げることができ、作業性を向上することができる。
また、取付用開口部４に開閉可能な蓋５を設けた構成としたことで、保管又は待機時には取付用開口部４をこの蓋５で塞いでユニット内への浸水を防止できる。
【００１６】
図５は、本発明に係るプレハブ住宅ユニットのユニットカバーの第２実施形態を示す図であり、本実施形態ではカバー本体３天井部の四隅のうちの少なくとも１つに、上方に向けて突出した筒状部１１を設け、この筒状部１１の上面に取付用開口部４と、この取付用開口部４を開閉可能に塞ぐ蓋５を設けた構成になっている。
【００１７】
図６は、本発明に係るプレハブ住宅ユニットのユニットカバーの第３実施形態を示す図であり、本実施形態はプレハブ住宅ユニット２の天井部ではなく、側壁部の上端部に取付穴６が設けられている場合に本発明を適用させたものである。本実施形態ではカバー本体３の側壁部の上端部複数個所に取付用開口部４を設け、この取付用開口部４を開閉可能に塞ぐ蓋５を設けた構成になっている。
【００１８】
図７は、本発明に係るプレハブ住宅ユニットのユニットカバーの第４実施形態を示す図であり、このユニットカバー１２は、直方体形状をなしているプレハブ住宅ユニット２に被せてプレハブ住宅ユニット２の天井部及び４つの側壁部を覆うことができるように、底部が開口した方形の袋状をなすカバー本体１３と、該カバー本体１３の天井部四隅にそれぞれ設けられた取付用開口部１４とを備えて構成され、取付用開口部１４はプレハブ住宅ユニット２の天井部四隅に設けられた取付穴６を露出させる位置に設けられている。
【００１９】
このユニットカバー１２は、図７に示すように、プレハブ住宅ユニット２に被せ、その上から天井部に天井カバー１５を被せて各カバー１２，１５をプレハブ住宅ユニット２に固定する。ユニットカバー１２の取付用開口部１４は、天井カバー１５により覆われて、取付用開口部１４から水等が侵入するのを防いでいる。
【００２０】
このユニットカバー１２は、プレハブ住宅ユニット２に被せ、その上から天井部に天井カバー１５を被せた状態で保管することができる。プレハブ住宅ユニット２を搬送する際には、天井カバー１５のみを取り外し、プレハブ住宅ユニット２をユニットカバー１２で覆ったままの状態で、図２に示すものと同様に、その取付用開口部１４から吊り金具８のネジ部９を取付穴６に螺着し、吊り金具８にワイヤ７を通してクレーンで吊り下げて搬送する。輸送中又は待機中は、天井カバー１５を被せ取付用開口部１４を塞いでおくことが望ましい。
【図面の簡単な説明】
【００２１】
【図１】本発明に係るプレハブ住宅ユニットのユニットカバーの第１実施形態を示す斜視図である。
【図２】図１のユニットカバーで覆ったプレハブ住宅ユニットをクレーンで吊り下げた状態を示す斜視図である。
【図３】吊り金具の一例を示す正面図である。
【図４】蓋の一例を示す斜視図である。
【図５】本発明に係るプレハブ住宅ユニットのユニットカバーの第２実施形態を示す要部斜視図である。
【図６】本発明に係るプレハブ住宅ユニットのユニットカバーの第３実施形態を示す斜視図である。
【図７】本発明に係るプレハブ住宅ユニットのユニットカバーの第４実施形態を示す斜視図である。
【符号の説明】
【００２２】
１…ユニットカバー、２…プレハブ住宅ユニット、３…カバー本体、４…取付用開口部、５…蓋、６…取付穴、７…ワイヤ、８…吊り金具、９…ネジ部、１０…蓋台座、１１…筒状部、１２…ユニットカバー、１３…カバー本体、１４…取付用開口部、１５…天井カバー。
【図１】
2005256534.tif 000003
【図２】
2005256534.tif 000004
【図３】
2005256534.tif 000005
【図４】
2005256534.tif 000006
【図５】
2005256534.tif 000007
【図６】
2005256534.tif 000008
【図７】
2005256534.tif 000009